(57)【特許請求の範囲】
【請求項１】
建物の窓部に設けたサッシの室外側に開閉可能な後付面格子を取り付け、該後付面格子に閉鎖状態を施錠する施錠機構を設け、この施錠機構の施錠と開錠を室内側から操作することができるようにした後付面格子の脱出操作装置において、後付面格子枠の少なくとも一方縦枠桟に、成人の手よりも長い長さを有する操作バーを起伏回動が自在となるよう取り付け、この操作バーの内部に施錠機構の施錠と開錠を操作するための操作杆を収納し、前記操作杆の先端部に該操作杆を操作するための操作部材を設け、該操作部材と操作バーの先端部分に、施錠機構の施錠状態で操作バーに対して操作部材を固定化する係止手段を設け、この操作部材に、係止手段の係止状態を保持し、操作バーを水平に伏倒させた状態でのみ係止手段の解除を可能にするロック機構を組み込んだことを特徴とする後付面格子の脱出操作装置。
【請求項２】
前記操作部材が、操作杆の先端に固定された固定把手と、操作杆の先端側に揺動可能に枢止され、固定把手に対して常時離開する弾性が付与された可動把手とからなり、この可動把手と操作バーに、操作杆が施錠機構の施錠位置にあり、かつ可動把手が離開位置で係合して操作杆の開錠方向への移動を阻止する一対の係止手段を設け、ロック機構が、一方の把手に操作バーを水平に伏倒した状態で先端下がりとなる傾斜面を設け、固定把手と可動把手の対向面間に、傾斜面の上り側端部に位置するとき可動把手の上記離開位置をロックし、操作バーを水平に伏倒した位相状態で傾斜面の下がり側端部に移動して可動把手のロックを解く可動子を設けて形成されている請求項１に記載の後付面格子の脱出操作装置。
【請求項３】
前記操作部材が、操作杆の先端に固定された固定把手と、操作杆の先端側に揺動可能に枢止され、固定把手に対して常時離開する弾性が付与された可動把手とからなり、この可動把手と操作バーに、操作杆が施錠機構の施錠位置にあり、かつ可動把手が離開位置で係合して操作杆の開錠方向への移動を阻止する一対の係止手段を設け、ロック機構が、一方の把手に操作バーを水平に伏倒した状態で先端下がりとなる傾斜ガイド軸を設け、固定把手と可動把手の対向面間に、傾斜ガイド軸に沿って移動自在となり、傾斜ガイド軸の上り側端部に位置するとき可動把手の上記離開位置をロックし、操作バーを水平に伏倒した位相状態で傾斜ガイド軸の下がり側端部に移動して可動把手のロックを解く可動子を設けて形成されている請求項１に記載の後付面格子の脱出操作装置。
【請求項４】
前記操作部材は、操作バーに対して、施錠機構の施錠と開錠のための引き押し動または回転動操作と、この操作部材を操作バーへ固定するために設けた係止手段を係脱する係脱操作との異なった複数の移動操作が可能となり、この操作部材に設けたロック機構が、操作バーを水平に伏倒した位相状態でのみ係止手段の係脱操作を可能にしている請求項１乃至３の何れかに記載の後付面格子の脱出操作装置。
【発明の詳細な説明】
【０００１】
【発明の属する技術分野】
この発明は、建物の窓部に設けた既設のサッシに取り付ける後付面格子の脱出操作装置に関する。
【０００２】
【従来の技術】
防犯や装飾の目的で、一般の家屋における窓部の外側に面格子を取り付け、外部からの侵入を防ぐことが行われているが、面格子がサッシや建物躯体に固定化したタイプの固定面格子であると、火災等の非常時に窓部からの脱出が不可能となり、室内にいる人が閉じ込められて焼死するという事故につながる。
【０００３】
そこで、面格子を室内側から開閉自在とし、閉鎖状態で防犯の目的を達成すると同時に、緊急の非常時には開放することにより、室内から窓部を介して室外に脱出することのできる開閉タイプの脱出面格子が提案されている。
【０００４】
この脱出面格子１は、図１に示すように、サッシ２や建物躯体に固定化する外枠３内に該外枠３内を閉鎖することのできる二枚の格子枠４を組み込み、少なくとも一方の格子枠４をレール５に沿って移動可能となるようにし、外枠３には可動格子枠４を閉鎖位置にロックするための施錠機構６を設けると共に、緊急の非常時に室内側から施錠機構６を開錠して可動格子枠４を開放位置に移動可能とするための脱出操作装置７を設けて構成され、この脱出操作装置７には、室外側から開錠操作をすることができない機能が要求される。
【０００５】
図２乃至図５は、脱出面格子１における従来の施錠機構６とこれを操作する脱出操作装置７を示し、施錠機構６は、外枠３の縦桟８における下部の位置に固定したケース部材９によって鍵板１０を、該ケース部材９に設けた水平の長孔１１に沿って室の内外方向に移動可能となるよう保持し、可動格子枠４の縦桟４ａに、該可動格子枠４が閉鎖位置にあるとき鍵板１０が係脱自在となる係止部材１２を固定して構成され、可動格子枠４を閉鎖位置にして係止部材１２の係止孔１３に鍵板１０を係合させれば、可動格子枠４に対する施錠状態になる。
【０００６】
脱出操作装置７は、上記ケース部材９に、成人の手よりも長い長さを有する操作バー１４を、外枠３の縦桟８に沿う起立状態から室内側へ水平状態に突出する起伏回動が自在となるようピン１５で取り付け、この操作バー１４の内部に長さ方向への移動が可能となり、長さ方向への移動操作によって施錠機構６における鍵板１０の施錠と開錠を操作するための操作杆１６を収納し、操作杆１６の端部と上記鍵板１０を、ケース部材９に設けた水平の長孔１１と操作バー１４に設けた長孔１７を貫通するピン１８で結合連結し、該操作杆１６の先端に操作バー１４の先端から突出し、操作杆１４を長さ方向に移動操作するための操作部材１９を設けた構造になっている。
【０００７】
図２に示すように、操作部材１９を操作バー１４内に向けて押し込み、鍵板１０を係止部材１２に係合させた施錠位置にあるとき、鍵板１０と操作杆１６の結合ピン１８は操作バー１４の枢止ピン１５と同軸心状の配置となり、操作バー１４とその内部に収納した操作杆１６とは結合ピン１８と枢止ピン１５を支点に起伏回動可能となり、通常は操作バー１４を起立させて外枠３の縦桟８内に収納した状態としておき、緊急の非常時には、図３のごとく、操作バー１４を室内側へ水平に倒して操作部材１９を引っ張れば、鍵板１０が係止部材１２から抜けて開錠状態となり、可動格子枠４を開放することができる。
【０００８】
上記操作バー１４が水平以外の角度にあるとき、操作バー１４の長孔１７がケース部材９の長孔１１に対して角度をもち、両長孔１１、１７に結合ピン１８が納まる鍵板１０は移動が不可能になり、操作部材１９を引っ張ろうとしても移動することがなく、施錠状態が保持される。
【０００９】
また、操作バー１４を水平に倒すと、操作バー１４の長孔１７はケース部材９の長孔１１に平行し、両長孔１１、１７に結合ピン１８が納まる鍵板１０は移動が可能になり、従って、操作部材１９を引っ張ると操作杆１６と鍵板１０が一体に移動し、開錠状態とすることができる。
【００１０】
【発明が解決しようとする課題】
ところで、上記従来の脱出操作装置は、操作バー１４を成人の手よりも長い長さに設定し、水平に倒した状態で室外側から手を差し入れても操作部材１９に届かないようにして、直接手で引っ張り操作ができないようにしているが、特殊な道具を用意し、操作バー１４を水平に倒した状態で室外側からこの道具を差し入れ、該道具で操作部材１９を掴んで引っ張り、開錠状態にされてしまう危険性がある。
【００１１】
なぜならば、上記従来の脱出操作装置は、操作バー１４を水平に倒した状態で、操作部材１９を単に引っ張るだけの単一操作で開錠状態にできるため、特殊な道具を製作して操作部材１９を引っ張り操作ることは容易に可能となるからである。
【００１２】
そこで、この発明の課題は、操作バーを水平に倒した状態で、開錠状態にするための操作部材の操作に複数の複合操作を行わなければならないようにし、このため、開錠操作が特殊な道具を用いても困難になり、脱出面格子の安全性を大幅に向上させることができる後付面格子の脱出操作装置を提供することにある。
【００１３】
【課題を解決するための手段】
上記のような課題を解決するため、請求項１の発明は、建物の窓部に設けたサッシの室外側に開閉可能な後付面格子を取り付け、該後付面格子に閉鎖状態を施錠する施錠機構を設け、この施錠機構の施錠と開錠を室内側から操作することができるようにした後付面格子の脱出操作装置において、後付面格子枠の少なくとも一方縦枠桟に、成人の手よりも長い長さを有する操作バーを起伏回動が自在となるよう取り付け、この操作バーの内部に施錠機構の施錠と開錠を操作するための操作杆を収納し、前記操作杆の先端部に該操作杆を操作するための操作部材を設け、該操作部材と操作バーの先端部分に、施錠機構の施錠状態で操作バーに対して操作部材を固定化する係止手段を設け、この操作部材に、係止手段の係止状態を保持し、操作バーを水平に伏倒させた状態でのみ係止手段の解除を可能にするロック機構を組み込んだ構成を採用したものである。
【００１４】
請求項２の発明は、請求項１の発明において、前記操作部材が、操作杆の先端に固定された固定把手と、操作杆の先端側に揺動可能に枢止され、固定把手に対して常時離開する弾性が付与された可動把手とからなり、この可動把手と操作バーに、操作杆が施錠機構の施錠位置にあり、かつ可動把手が離開位置で係合して操作杆の開錠方向への移動を阻止する一対の係止手段を設け、ロック機構が、一方の把手に操作バーを水平に伏倒した状態で先端下がりとなる傾斜面を設け、固定把手と可動把手の対向面間に、傾斜面の上り側端部に位置するとき可動把手の上記離開位置をロックし、操作バーを水平に伏倒した位相状態で傾斜面の下がり側端部に移動して可動把手のロックを解く可動子を設けて形成されている構成を採用したものである。
【００１５】
請求項３の発明は、請求項１の発明において、前記操作部材が、操作杆の先端に固定された固定把手と、操作杆の先端側に揺動可能に枢止され、固定把手に対して常時離開する弾性が付与された可動把手とからなり、この可動把手と操作バーに、操作杆が施錠機構の施錠位置にあり、かつ可動把手が離開位置で係合して操作杆の開錠方向への移動を阻止する一対の係止手段を設け、ロック機構が、一方の把手に操作バーを水平に伏倒した状態で先端下がりとなる傾斜ガイド軸を設け、固定把手と可動把手の対向面間に、傾斜ガイド軸に沿って移動自在となり、傾斜ガイド軸の上り側端部に位置するとき可動把手の上記離開位置をロックし、操作バーを水平に伏倒した位相状態で傾斜ガイド軸の下がり側端部に移動して可動把手のロックを解く可動子を設けて形成されている構成を採用したものである。
【００１６】
請求項４の発明は、請求項１乃至３の発明において、前記操作部材は、操作バーに対して、施錠機構の施錠と開錠のための引き押し動または回転動操作と、この操作部材を操作バーへ固定するために設けた係止手段を係脱する係脱操作との異なった複数の移動操作が可能となり、この操作部材に設けたロック機構が、操作バーを水平に伏倒した位相状態でのみ係止手段の係脱操作を可能にしている構成を採用したものである。
【００１７】
【発明の実施の形態】
以下、この発明の実施の形態を図示例と共に説明する。
【００１８】
図１で示したように、脱出面格子１は、建物の窓部に設けたサッシ２や建物躯体に周知の取り付け手段を用いて固定化して該サッシ２の室外側に配置する外枠３内に、上記外枠３内を閉鎖することのできる二枚の格子枠４を組み込み、少なくとも一方の格子枠４を外枠３の上下横桟に設けたレール５に沿って移動可能となるようにして構成され、上記外枠３の一方縦桟８における下部の位置に、可動格子枠を閉鎖位置に施錠するための施錠機構６と、緊急の非常時に室内側から施錠機構６を開錠して可動格子枠４を開放位置に移動可能とするための脱出操作装置７が設けられている。
【００１９】
なお、施錠機構６の構造と後述する脱出操作装置７の一部の構造は、図１乃至図５に示した従来の技術の項で述べたものと同じであるので、該当部分に同一符号を使用すと共に、同一部分に同一符号を付して説明に代える。また、脱出操作装置７を取り付ける脱出面格子１は、図示のような二枚の格子枠４の引き違い式以外に、一方格子枠を外枠に固定した片開き式、二枚の格子枠の一方格子枠を外枠に固定し、他方格子枠を一方格子枠と同一面に並ぶ閉鎖位置から、この一方格子枠の外面に重なる開放位置に移動し得るもの、格子枠がパンタグラフ式で伸縮するもの等の構造であってもよい。
【００２０】
図６と図７は、第１の実施の形態の脱出操作装置の要部を示している。
この第１の実施の形態の脱出操作装置７は、脱出面格子１の外枠３に、図１乃至図５に示したと同様の成人の手よりも長い長さを有するパイプ製の操作バー１４を、該外枠３の縦桟に沿う起立状態から室内側へ水平状態に突出する起伏回動が自在となるよう取り付け、この操作バー１４の内部に長さ方向への移動が可能となり、長さ方向への移動操作によって施錠機構６の施錠と開錠を操作するための操作杆を１６収納し、該操作杆１６の先端には、操作バー１４の先端に設けたケース２１から突出し、該操作杆１６を長さ方向へ移動操作するための固定把手２２と、操作杆１６にピン２３で枢止され、揺動が自在となる可動把手２４と、固定把手２２に対して可動把手２４に常時離開する弾性を付与するスプリング２５が設けられ、固定把手２２と可動把手２４が、施錠機構６の施錠と開錠の操作部材となる。
【００２１】
上記可動把手２４は、図６（ｂ）のように操作バー１４を水平に伏倒させたとき、固定把手２２に対して上側に位置し、操作杆１６の先端にピン２３で枢止され、固定把手２２は操作杆１６の先端に固定化され、スプリング２５は固定把手２２と可動把手２４の対向面間に縮設されている。
【００２２】
上記可動把手２４と操作バー１４に設けたケース２１には、操作杆１６が施錠機構６の施錠位置にあり、かつ可動把手２４が固定把手２２に対して離開位置にあるとき互いに係合して操作杆１６の開錠方向への移動を阻止する一対の係止手段２６が設けられている。この係止手段２６は、可動把手２４の外面に設けた突起２９と、ケース２１の開口縁に設けた係合片３０とで形成されている。
【００２３】
前記固定把手２２と可動把手２４の内部には、一対の係止手段２６の係合状態を保持し、操作バー１４を水平に倒したときのみ係止手段２６の離脱操作を可能にするロック機構Ａが組み込まれている。
【００２４】
上記ロック機構Ａは、固定把手２２の可動把手２４と対向する内面に、操作バー１４を水平に伏倒した状態で先端下がりとなる傾斜面２７を設け、固定把手２２と可動把手２４の対向面間に、傾斜面２７のピン２３寄りとなる上り側端部に位置するとき可動把手２４の上記離開位置をロックし、操作バー１４を水平に伏倒した位相状態で傾斜面２７の下がり側端部に移動して可動把手２４のロックを解く可動子２８を組み込み、可動把手２４の内面でピン２３寄りの位置に可動子２８に対する当接片３１を設けて構成されている。
【００２５】
なお、可動子２８にはボールやローラ、角軸体を用いることができ、これらは、金属、硬質樹脂、ガラス等で形成すればよい。
【００２６】
上記可動子２８は、操作バー１４を伏倒させて固定把手２２の傾斜面２７が水平になるまでは、図６（Ａ）のように、固定把手２２と可動把手２４間の根元部分に位置し、当接片３１がこの可動子２８に臨んでいるので、可動把手２４の離開位置がロックされ、可動把手２４の握り込み操作が不可能となり、一対の係止手段２６は係合した状態となり、固定把手２２と可動把手２４を介して操作杆１６を開錠方向に引くことができない。
【００２７】
従って、操作バー１４の伏倒を途中までにして固定把手２２と可動把手２４を握っても、可動把手２４の離開位置のロックが解けないため、施錠機構６の開錠は不可能となり、脱出面格子１の格子枠４を開放することができない。
【００２８】
また、固定把手２２の傾斜面２７が水平より先端下がりに傾斜するまで操作バー１４を伏倒させると、図６（Ｂ）に実線で示すように、可動子２８は傾斜面２７を先端側に転動又は滑動して当接片３１から離反するので、可動把手２４のロックが解け、図７（Ａ）のように、可動把手２４の握り込み操作で一対の係止手段２６は係合が外れ、図７（Ａ）に示すように、固定把手２２と可動把手２４を介して操作杆１６を開錠方向に引くことができる。
【００２９】
このように、脱出操作装置７は、施錠機構６の開錠を行うのに、操作バー１４の水平状態への伏倒に加え、可動把手２４の握り込みと開錠方向への引っ張りの二つの操作を複合して同時に行うことが必要になり、この二つの同時操作は例え特殊な道具を用いたとしても室外からの遠隔操作で行うのを極めて困難にしており、したがって、室外から施錠機構６を簡単に開錠することができず、脱出操作装置７の安全性を大幅に向上させることができる。
【００３０】
なお、操作部材は、固定把手２２と可動把手２４の組み合わせだけでなく、両方を可動把手とし、両可動把手の各々と操作バー１４との間に係止手段２６を設けるようにしてもよく、また、脱出面格子１において、二枚の格子枠４が何れも開閉動できる場合、施錠機構６と脱出操作装置７は、外枠３の両側縦桟８にそれぞれ取り付けるようにすればよい。
【００３１】
図８は、脱出操作装置７の第２の実施の形態の要部を示している。なお、第１の実施の形態と同一部分には同一符号を付して説明に代える。以降の実施の形態も同様である。
【００３２】
この第２の実施の形態の脱出操作装置７は、ロック機構Ａが、操作杆１６の先端に固定した固定把手２２の内部に、操作バー１６を水平に伏倒した状態で先端下がりとなるガイド軸３２を設け、このガイド軸３２に貫通孔によって可動子２８を該ガイド軸３２に沿って移動自在となるよう取り付け、可動把手２４の内面でピン２３寄りの位置に可動子２８に対する当接片３１を設けた構造になっている。
【００３３】
上記可動子２８は、操作バー１４を伏倒させて固定把手２２のガイド軸３２が水平になるまでは、図８（Ａ）のように固定把手２２と可動把手２４間の根元部分に位置し、当接片３１がこの可動子２８の外面に臨んでいるので、可動把手２４の離開位置がロックされ、可動把手２４の握り込み操作が不可能となり、一対の係止手段２６は係合した状態のままとなり、固定把手２２と可動把手２４を介して操作杆１６を開錠方向に引くことができない。
【００３４】
また、固定把手２２のガイド軸３２が水平より先端下がりに傾斜するまで操作バー１４を伏倒させると、図８（Ｂ）のごとく、可動子２８はガイド軸３２に沿って先端側に滑動して当接片３１から離反するので、可動把手２４のロックが解け、可動把手２４の握り込み操作で一対の係止手段２６は係合が外れ、握り込みのままで固定把手２２と可動把手２４を介して操作杆１６を開錠方向に引くことができる。
【００３５】
図９は、脱出操作装置の第３の実施の形態の要部を示している。この第３の実施の形態の脱出操作装置７においては、操作バー１４の先端に設けたケース２１を長く形成し、操作杆１６を長さ方向へ移動操作するための固定把手２２と可動把手２４の全長をこのケース２１内に収めることにより、室外から固定把手２２と可動把手２４の開錠のための操作をより困難にしたものである。
【００３６】
図示の場合、可動把手２４は、操作バー１４を水平に伏倒させたとき、固定把手２２に対して下側に位置し、操作杆１６の先端にピン２３で枢止され、操作バー１４を水平に伏倒した状態で先端下がりとなる傾斜溝３３内にコロを用いた可動子２８を移動自在に収納し、固定把手２２の傾斜溝３３に臨む根元寄りの位置に、可動子２８に対する当接片３１を設けてロック機構Ａを形成している。
【００３７】
また、操作バー１４の先端に固定され、固定把手２２と可動把手２４を収納するケース２１は角筒状となり、該ケース２１の下部と可動把手２４の下部に設けた一対の係止手段２６が係合する状態で、ケース２１の両側壁３４は固定把手２２と可動把手２４の先端部の位置に延び、ケース２１の上壁３５と下壁３６は固定把手２２と可動把手２４の先端部を上下から摘めるように短くなっている。なお、一対の係止手段２６は、可動把手２４に設けた突起２９と、ケース２１の下壁３６に設けた係合孔３０ａとで形成されている。
【００３８】
このように、ケース２１の両側壁３４を長くして固定把手２２と可動把手２４がその内側に納まるようにすると、固定把手２２と可動把手２４を上下からしか摘むことができず、特殊な工具による室外からの開錠のための操作をより困難にすることができる。
【００３９】
この発明の後付面格子の脱出操作装置は、上記のような構成であり、第１の実施の形態の脱出操作装置７を用いてその作用を説明する。
【００４０】
通常は脱出面格子１の格子枠４を閉めた状態にして脱出操作装置７の操作バー１４を起立状態に起こし、外枠３の縦桟８内に収納しておけば、操作バー１４は室外から見えないと同時に施錠機構６は施錠状態となり、脱出面格子１を室外側から開放することができない。このとき操作バー１４を起立状態に起こすと、ロック機構Ａの可動子２８は下降位置にあって固定把手２２と可動把手２４の根元にあり、該可動子２８は当接片３１に臨んでいるので、固定把手２２と可動把手２４を握っても可動把手２４の回動は不可となり、一対の係止手段２６は係合状態のままとなる。
【００４１】
このような脱出操作装置７の状態は、操作バー１４を略水平に倒すまでの間維持されるので、室外側から脱出面格子１の格子枠４に手を入れて操作バー１４を少し倒し、固定把手２２と可動把手２４を握っても可動把手２４を回動させることができず、一対の係止手段２６は係合状態のままであるので、固定把手２２と可動把手２４を介して操作杆１６を開錠方向に引くことができず、脱出面格子１の格子枠４を開いて室内に侵入することはできない。
【００４２】
次に、火災等の発生で室内から窓を介して室外に脱出する場合は、外枠３の縦桟８内に収納された起立状態の操作バー１４を室内側へ水平に倒す。操作バー１４が水平になると、ロック機構Ａは、可動把手２４に設けた傾斜溝２７が先端下がりとなり、可動子２８がこの傾斜溝２７の先端側に移動して当接片３１から離反する。
【００４３】
上記のように、操作バー１４を水平に倒した状態で、固定把手２２と可動把手２４を握ると、可動把手２４が回動して一対の係止手段２６は係合が外れ、従って、固定把手２２と可動把手２４を握ったままこれを引っ張ると操作杆１６は開錠方向へ一体に移動し、施錠機構６は開錠状態となり、これによって脱出面格子１の格子枠４を室内側から開放することができ、脱出面格子１を開放して窓から室外に脱出することができる。
【００４４】
ここで、上記操作バー１４は成人の手よりも長い長さを有し、脱出操作装置７の要部はその先端に設けられているので、平時において操作バー１４を水平に倒しても、室外側から手を入れて脱出操作装置７を直接操作することはできないと共に、開錠のためには、固定把手２２と可動把手２４を握って一対の係止手段２６の係合を外し、この係合を外した状態を維持したまま固定把手２２と可動把手２４を引っ張るという二つの動作を複合して行う必要があり、このような複合動作を室外側から工具を用いて遠隔操作で行うのは至難の技であり、実質的に室外からの脱出面格子１の開放を不可能にしている。
【００４５】
なお、何れの実施の形態においても、施錠機構６は図示の構造に特定されるものではなく、操作杆１６を押したり引いたりする以外に、操作杆を回転させることにより、施錠と開錠が行える機構を採用してもよく、この場合、操作バー１４に対して、操作部材は操作杆を回転させることができるように回転可能とし、操作バー１４と操作部材の間に、操作バー１４に対して操作部材の回転を止める係止手段を設け、操作部材内に組み込んだロック機構で、該係止手段のロックとその解除を行うような構造を採用してもよい。
【００４６】
【発明の効果】
以上のように、この発明によると、後付面格子枠の少なくとも一方縦枠桟に、成人の手よりも長い長さを有する操作バーを起伏回動が自在となるよう取り付け、この操作バーの内部に長さ方向への移動が可能となり、長さ方向への移動操作によって施錠機構の施錠と開錠を操作することができる操作杆を収納し、前記操作杆の先端部に該操作杆を長さ方向に移動操作するための操作部材を設け、操作バーを水平に伏倒させた状態でのみ操作部材の複合操作を可能にし、この複合操作によって施錠機構を開錠できるようにしたので、室外側から脱出面格子に手を入れて操作バーを少し倒し、ロック機構を操作しようとしても操作部材の固定を解除することができず、脱出面格子を開いて室内に侵入することはできないと共に、操作バーを水平に倒した状態で開錠するためには、操作部材の握り込みと引っ張りとの複数の操作を同時に複合して行わなければならず、これによって、室外側から特殊な道具を用いても開錠操作を行うのは非常に困難となり、脱出面格子の安全性を大幅に向上させることができる。
【図面の簡単な説明】
【図１】（Ａ）は脱出面格子の室内側から見た正面図、（Ｂ）は同側面図、（Ｃ）は同横断平面図
【図２】従来の脱出面格子における施錠機構と脱出操作装置の要部を示す施錠状態の横断平面図
【図３】同上における施錠機構と脱出操作装置の要部を示す開錠状態の横断平面図
【図４】同上における施錠機構と脱出操作装置を示す施錠状態の縦断側面図
【図５】同上における施錠機構と脱出操作装置を示す開錠状態の縦断側面図
【図６】（Ａ）はこの発明に係る脱出操作装置の第１の実施の形態の施錠状態を示す縦断側面図、（Ｂ）はこの脱出操作装置を水平に伏倒させた状態の縦断側面図
【図７】同上において、脱出操作装置の操作部材のロックを解いた縦断側面図、（Ｂ）は開錠状態の縦断側面図
【図８】（Ａ）はこの発明に係る脱出操作装置の第２の実施の形態の施錠状態を示す縦断側面図、（Ｂ）はこの脱出操作装置を水平に伏倒させた状態の縦断側面図
【図９】（Ａ）はこの発明に係る脱出操作装置の第３の実施の形態を示す分解斜視図、（Ｂ）はこの脱出操作装置を水平に伏倒させた状態の縦断側面図
【符号の説明】
１  脱出面格子
３  外枠
４  格子枠
６  施錠機構
７  脱出操作装置
１４  操作バー
１６  操作杆
２１  ケース
２２  固定把手
２４  可動把手
２５  スプリング
２６  係止手段
２７  傾斜面
２８  可動子
３１  当接片
３２  ガイド軸
３３  傾斜溝
Ａ  ロック機構
【図１】
0004102494.tif 000002
【図２】
0004102494.tif 000003
【図３】
0004102494.tif 000004
【図４】
0004102494.tif 000005
【図５】
0004102494.tif 000006
【図６】
0004102494.tif 000007
【図７】
0004102494.tif 000008
【図８】
0004102494.tif 000009
【図９】
0004102494.tif 000010